(57)【要約】      （修正有）【課題】ガラス等の透光体や平面鏡と曲面鏡等のミラー反射面の歪情報を、歪の場所と強さと方向の表示を同時に、視覚的にわかりやすく表現する事のできる表示装置を提供する。【解決手段】歪検査装置によって検査された歪情報の表示装置において、検査対象物画像の歪検出部分に、歪方向情報に基づき、色分けして表示する色分け表示手段を有する事により歪の方向を色情報により表現することが出来、更に、上記色分け表示手段が、歪の方向情報と歪の強さ情報に基づいて、色分けして表示する事により、歪の強さと方向を色情報により表現することにより、何れも視覚的にわかりやすく、検査及び不良解析に利用することを可能にした。【選択図】図５
0003164583.tif 000002
【実用新案登録請求の範囲】
【請求項１】
ガラス等の透光体、若しくはミラー等の鏡面反射体の歪検査装置によって検査された歪情報の表示装置において、検査対象物画像の歪検出部分に、歪方向情報に基づき、色分けして表示する色分け表示手段を有する事を特徴とする歪情報の表示装置。
【請求項２】
上記色分け表示手段が、歪の方向情報と歪の強さ情報に基づいて、色分けして表示する事を特徴とする請求項１記載の歪情報の表示装置。
【請求項３】
上記色分け表示手段が、既存の表色系に基づき色分けされる事を特徴とする請求項１または２記載の歪情報の表示装置。
【請求項４】
上記色分け表示手段が、任意の色分け規則の設定により、色分けされることを特徴とする請求項１または２記載の歪情報の表示装置。
【請求項５】
上記色分け表示手段が、歪の方向情報と歪の強さ情報の少なくとも一つの情報を任意の区分数に分割して、それぞれの区分数に応じて色分け表示されることを特徴とする請求項１〜４のいずれか一項に記載の歪情報の表示装置。
【請求項６】
上記色分け表示手段の任意の区分数が、検査目的に応じて適宜変更可能であることを特徴とする請求項５記載の歪情報の表示装置。
【請求項７】
上記色分け表示手段が、検査対象物画像の結果表示の拡大率に応じて、拡大率が上がると自動的に区分数を増加することを特徴とする請求項５記載の歪情報の表示装置。
【請求項８】
上記色分け表示手段の代わりに、歪方向を矢印を用いて表示し、歪強さ度合いを、矢印の大きさあるいは、長さ、太さ、あるいは色の違いによって表示することを特徴とする請求項１〜７のいずれか一項に記載の歪情報の表示装置。
【請求項９】
上記色分け表示手段の代わりに、歪方向をあらかじめ設定した任意の模様を用いて表示し、歪強さ度合いを、模様の大きさあるいは、長さ、あるいは太さ、あるいは色の違いによって表示することを特徴とする請求項１〜７のいずれか一項に記載の歪情報の表示装置。
【請求項１０】
歪の方向情報と歪の強さ情報の少なくとも一つが予め定めた基準値を超えた場合に、予め定められた強調表示方法に従って表示することを特徴とする請求項１〜９のいずれか一項に記載の歪情報の表示装置。
【考案の詳細な説明】
【技術分野】
【０００１】
本考案は、ガラス等の透光体およびミラー等の鏡面反射体の歪検査装置によって検出された歪の情報の表示装置に関するものである。
【背景技術】
【０００２】
従来の公知の、歪情報の表示装置は、歪の方向を特定し表示する手段を有していなかったため、歪の原因究明の際に問題を特定することが難しいという問題が有った。
【０００３】
上記問題を解決するために、実用新案登録出願人は特願２００７−６５５９５号において、歪の方向を検出し矢印によって表示する技術を出願している。
【０００４】
しかしながら、矢印による表示だけでは、直感的にわかり方向がわかりにくく、表示が煩雑になりみにくくなるという問題が有った。
【０００５】
また、特開平９−１７５４５７によれば、独自の歪量として角度差歪量と対角歪量を定義して数値表示しているが、数値表示は煩雑に見え、また、２つの情報を別々に表現しているという問題がある。
【特許文献１】特開平９−１７５４５７号公報
【考案の開示】
【考案が解決しようとする課題】
【０００６】
本考案は、上記問題点を解決するためになされたものであって、その目的は、ガラス等の透光体や平面鏡と曲面鏡等のミラー反射面の歪情報を、歪の場所と強さと方向の表示を同時に、視覚的にわかりやすく表現する事のできる表示装置を得る事を課題とする。
【課題を解決するための手段】
【０００７】
上記問題を解決するため、本考案の歪情報の表示装置は、ガラス等の透光体、若しくはミラー等の鏡面反射体の歪検査装置によって検査された歪情報の表示装置において、検査対象物画像の歪検出部分に、歪方向情報に基づき、色分けして表示する色分け表示手段を有する事を特徴とする。
【０００８】
更に上記色分け表示手段が、歪の方向情報と歪の強さ情報に基づいて、色分けして表示する事を特徴とする。
【０００９】
また、上記色分け表示手段が、既存の表色系に基づき色分けされる事を特徴とする。
【００１０】
また、上記色分け表示手段が、任意の色分け規則の設定により、色分けされることを特徴とする。
【００１１】
上記色分け表示手段が、歪の方向情報と歪の強さ情報の少なくとも一つの情報を任意の区分数に分割して、それぞれの区分数に応じて色分け表示されることを特徴とする。
【００１２】
また、上記色分け表示手段の任意の区分数が、検査目的に応じて適宜変更可能であることを特徴とする。
【００１３】
また、上記色分け表示手段が、検査対象物画像の結果表示の拡大率に応じて、拡大率が上がると自動的に区分数を増加することを特徴とする。
【００１４】
また、上記色分け表示手段が、歪方向を矢印を用いて表示し、歪強さ度合いを、矢印の大きさあるいは、長さ、太さ、あるいは色の違いによって表示することを特徴とする。
【００１５】
また、上記色分け表示手段が、歪方向をあらかじめ設定した任意の模様を用いて表示し、歪強さ度合いを、模様の大きさあるいは、長さ、あるいは太さ、あるいは色の違いによって表示することを特徴とする。
【００１６】
また、歪の方向情報と歪の強さ情報の少なくとも一つが予め定めた基準値を超えた場合に、予め定められた強調表示方法に従って表示することを特徴とする。
【考案の効果】
【００１７】
本考案は、ガラス等の透光体、若しくはミラー等の鏡面反射体の歪検査装置によって検出された歪の情報の表示装置において、歪検出部分に、歪の場所と強さと方向の情報を色あるいは矢印あるいはパターンの組み合わせを用いて表示することにより、イメージとして捉えられるため、歪の原因についても直感的に、瞬時に把握しやすくなる効果があり、また、見たいものを際立たせる手法として幅広い適用法が考えられる。
【考案を実施するための最良の形態】
【００１８】
以下、本考案の一実施の形態について、図面を踏まえて具体的に説明する。
【実施例１】
【００１９】
歪検出結果は、歪量が強さと方向であるので、図１のように、歪ベクトルにより表現される。歪ベクトルは、たとえば、図１のように縦方向と横方向の基準の線に対する、得られた画像の位置のずれから、縦方向横方向の歪量と方向として合成することで検査対象内の各点として、歪ベクトルを求めることができる。歪検査画像中の歪量および方向を色により表現する。このときの色の設定方法について説明する。
【００２０】
色設定方法には、さまざまな方法が考えられる。たとえば、図２のように基準位置から軸を８方向（ａ〜ｈ）にとる。
【００２１】
図３のように４方向として使用する場合は、ａ，ｃ，ｅ，ｇの４つの軸で考える。図３では、4つの方向であるので方向の区分は４つということになる。また、歪強度の区分としては、歪なしを含めて、３段階ということになる。図で右方向に歪んでいる場合は、縦縞のパターンになり、強い場合は線が太くなっている。ここでは、色表示ができなかったため、このようなパターンで表示したが、表示系で色を使うことができない場合、このようなパターンを決めて表示することも可能である。それぞれの軸に、簡単に、たとえば、（ａ：Ｒｅｄ，ｃ：Ｂｌｕｅ、ｅ：Ｇｒｅｅｎ、ｇ：Ｂｌａｃｋ）を割り付けたとすると、左に強く歪が出ているものは、赤が濃く表示され、逆に右にゆがんでいるものは、緑色になる。また、上方向に歪んでいるものは、青くなり、下方向は黒くなるという具合に表現できる。
【００２２】
４方向の場合、左方向としてはａが中心的な方向となるが、実質的には、ｈ〜ａ〜ｂの９０度の区間が左方向になり、この区間が青っぽい色となるようにする。
ただし、ａの軸を上側に外れた場合は、ｃのＢｌｕｅとの合成になる。下側に外れた場合は、ｇのＢｌａｃｋとの合成になる。色設定について設定した区間はこの場合、4区間（ｘ軸マイナス側、プラス側、ｙ軸プラス側、マイナス側）であり、その軸を外れた場合は、方向的に４５度以内の違いは同一色にするという方法もあるし、ｘ軸、ｙ軸の位置により色を合成することも可能である。
【００２３】
色は、歪が大きいほど、色濃度を濃くする（暗くする）ほうがわかりやすい。ａ軸の赤の場合は、２５５階調の場合、赤色を中間色（１５５位）にしておき、他の色、青色、緑色を２５５から減少させていけば、赤が濃くなっていくように見える。
【００２４】
他の色の場合の同様である。黒の場合は、ＲＧＢ全色同じように、歪が大きいほど、明るさを暗くしていけばよい。
軸を外れた場合の合成の計算方法は、単純に加重計算でもよいが、実際に色を見て、識別しやすいかどうか確認する必要はある。
これで、歪の方向と、強度を同時に色だけで表現できる。
【００２５】
この表示方法を使ってみると図４のベクトル表示が、図５のようになる。実際は色が変わるので視覚的にはベクトルに比べてわかりやすくまとまりを見ることができなる。
【００２６】
図５の解像度を目的に応じて変更可能にすることも可能である。この場合、検出した歪ベクトル情報を最高解像度としておき、全体的な表示を見たい場合、局所画像の平均値をとり、縮小表示することも可能である。たとえば、歪ベクトルとしての解像度を６００×４８０（ＶＧＡ）で持っている場合、解像度３２０×２４０（ＱＶＧＡ）で表示する場合には、局所領域２×２の平均値をその場所の値とする方法や、中央値をその場所の値とする方法がある。解像度１６０×１２０の場合は、局所領域４×４の平均値あるいは、中央値を取ればよい。また、低解像度で全体を表示しておき、その中の微小領域の変化を知りたい場合、虫眼鏡等の表示方法を使用することにより、局所領域のみを高解像度に表現することも考えられる。
また、歪強度に閾値を設けておき、その値を超えると、特別に強調した色を表示する方法も考えられる。また、方向で、ある特定方向に対して、強調表示を行うことも考えれる。また、その組み合わせも考えられる。
【実施例２】
【００２７】
実施例１の場合の色設定方法で、軸を図２のａ〜ｈの８軸にそれぞれあらかじめ色を分けておく方法。例として、ａ＝赤、ｂ＝紫、ｃ＝青、ｄ＝水色、ｅ＝緑、ｆ＝黄緑、ｇ＝黄色、ｈ＝橙色など。
中間色の出し方や、方向性の出し方は、実施例１と同様。８分割の場合、４５度区間が同一色区間である。
【実施例３】
【００２８】
色の表現方法としてマンセル表色系やＨＳＩ表色形、オスワルド表色形、ＬＵＶ表色系、ＨＳＶ表色系を利用してもよい。
たとえば、ＨＳＶ表色系を利用する場合、
図６のように色相Ｈと彩度Ｓで歪の方向と強さを表現することができる。 
【実施例４】
【００２９】
図４に示すように歪ベクトルを色ではなく、矢印により表示する方法。強さについては線の太さや濃さにより表現することが可能である。また、矢印と、実施例１の色の表現方法を合成してよりわかりやすく表現することも可能である。
【実施例５】
【００３０】
図３に示すように歪ベクトルを色ではなく、予め設定したパターンにより表示する方法。強さについては線の太さや濃さにより表現することが可能である。全体としては、図5のように表される。また、パターンと、実施例１の色の表現方法を合成してよりわかりやすく表現することも可能である。
【産業上の利用可能性】
【００３１】
本考案は、ガラス等の透光体およびミラー等の鏡面反射体の歪検査装置によって検出された歪の情報の表示装置に利用する事が出来る。
【図面の簡単な説明】
【００３２】
【図１】実施１の形態の歪ベクトル図
【図２】実施１および２の形態の歪の方向概念図
【図３】実施１の形態の歪の方向と強さの定義概念図
【図４】実施１の形態の歪ベクトルの一例図
【図５】実施１の形態の歪ベクトルの色表現一例図
【図６】実施３の形態の歪ベクトル表示のための表色系概念図
【符号の説明】
【００３３】
３０   基準パターンデータ
３１   測定パターンデータ
３２   歪ベクトル
【図１】
0003164583.tif 000003
【図２】
0003164583.tif 000004
【図３】
0003164583.tif 000005
【図４】
0003164583.tif 000006
【図５】
0003164583.tif 000007
【図６】
0003164583.tif 000008